(57)【要約】【課題】本発明は水晶の防犯装置を開示した。【解決手段】壁を含み、前記壁の中にはプッシュチャンバが設置され、前記プッシュチャンバの中には磁性板がスライドできるように設置され、前記磁性板の上端面にはボックス本体が置かれ、前記ボックス本体の中にはボックスチャンバが設置され、前記ボックスチャンバの中には本物の水晶が置かれ、本発明は構造が簡単で、操作が便利であり、正確なパスワードを入力すると水晶を外部までプッシュでき、しかしパスワードを入力する過程では、制御ブロックが自動的に見えないように指紋を比較し、指紋が異なる場合、本物と偽物の水晶の交換し、指紋が正確である場合、水晶が通常通りに取り出され、本発明装置は安全性が高く、使用が便利である。【選択図】図１
2020171647.tif 000002
【特許請求の範囲】
【請求項１】
壁を含み、前記壁の中にはプッシュチャンバが設置され、前記プッシュチャンバの中には磁性板がスライドできるように設置され、前記磁性板の上端面にはボックス本体が置かれ、前記ボックス本体の中にはボックスチャンバが設置され、前記ボックスチャンバの中には本物の水晶が置かれ、前記プッシュチャンバの左側にはスライドチャンバが連通するように設置され、前記スライドチャンバの中にはスライド板がスライドできるように設置され、前記スライド板の中には上下に対称しているロック溝が設置され、前記ロック溝の左側には引掛り溝が設置され、前記スライドチャンバの上側にはガイド溝が連通するように設置され、前記スライド板の上端が前記ガイド溝の中に挿入され、且つ前記スライド板の上端と前記ガイド溝の右端壁の間には押圧ばねが固定的に設置され、前記プッシュチャンバの右側には凹溝が連通するように設置され、前記凹溝の右側にはロック装置が設置され、前記ロック装置が前記ロック溝とロックできるように連結されることができ、前記ロック装置の前側には駆動装置が設置され、前記駆動装置と前記ロック装置とがスプラインにより連結され、前記壁の上端面には制御ブロックが固定的に設置され、前記プッシュチャンバの左側には開けチャンバが連通するように設置され、前記磁性板の下端面にはスリーブが固定的に設置され、前記プッシュチャンバの下側にはプッシュ溝が連通するように設置され、前記プッシュ溝の中には親ねじが回転できるように設置され、前記スリーブの下端が前記プッシュ溝の中に挿入され、且つ前記親ねじとネジ山により連結され、前記スリーブの左右端にはガイドブロックが固定的に設置され、前記プッシュ溝の下側には空き溝が連通するように設置され、前記親ねじの下端が前記空き溝の中に挿入され、且つ前記親ねじの下端には第一傘歯車が固定的に設置され、前記空き溝の中には固定軸により前記第一傘歯車と噛合している第二傘歯車が回転できるように設置され、前記固定軸と前記駆動装置とが伝動できるように連結され、前記プッシュ溝の左側には連動装置が設置され、前記連動装置が前記ガイドブロックと当接でき、前記プッシュチャンバの右側には凹チャンバが連通するように設置され、前記凹チャンバの中には左端が前記開けチャンバの中に挿入されるプッシュ板がスライドできるように設置され、前記プッシュ板の中には左右に対称的な且つ上下に貫通している貫通チャンバが設置され、右側の前記貫通チャンバの中には外部ボックスが置かれ、前記外部ボックスの中には偽物の水晶が置かれ、前記凹チャンバの右側には置き換え装置が設置され、前記置き換え装置と前記プッシュ板の右端とが固定的に連結され、
盗難が発生するとき、前記偽物の水晶と前記本物の水晶とが置き換えられることを特徴とする水晶の防犯装置。
【請求項２】
前記ロック装置は上下に対称しているスライド溝を含み、前記スライド溝の中にはロックブロックがスライドできるように設置され、前記ロックブロックと前記スライド溝との間には連結ばねが固定的に設置され、前記スライド溝の右側の間には回転チャンバが連通するように設置され、前記回転チャンバの中には回し板がスライドできるように設置され、前記回し板の中には回し溝が設置され、前記回し溝の中には上下に対称しているプッシュブロックがスライドできるように設置され、上下両側の前記プッシュブロックと上下両側の前記ロックブロックとがそれぞれ回転ロッドにより回転できるように連結され、また前記回転ロッドと前記回転チャンバの前後側の内壁とが回転できるように連結され、前記回転チャンバの右側には回転溝が連通するように設置され、前記回転溝の中には固定ロッドによりカムが回転できるように設置され、前記固定ロッドが前記駆動装置とスプラインにより連結されることができ、
前記回し板が左に移動し、前記ロックブロックを逆方向にスライドさせることを特徴とする請求項１に記載の水晶の防犯装置。
【請求項３】
前記駆動装置は移動チャンバを含み、前記移動チャンバの中には移動ブロックがスライドできるように設置され、前記移動ブロックの中には電動機が固定的に設置され、前記電動機の後端には回転軸が伝動できるように連結され、前記回転軸が前記固定ロッドとスプラインにより連結されることができ、前記電動機の前端には回転筒が伝動できるように連結され、前記移動チャンバの前側には前記回転筒とスプラインにより連結されることができる連結軸が回転できるように設置され、前記連結軸と前記固定軸とがベルトにより伝動できるように連結され、前記移動チャンバの左側には押し溝が連通するように設置され、前記押し溝の中には押しロッドがスライドできるように設置され、前記押しロッドの下端と前記押し溝との間にはねじりばねが固定的に設置され、前記押しロッドと前記移動ブロックとの間には連結ロッドにより回転できるように連結され、
前記押しロッドが移動し、それにより前記電動機が前記カムと前記連結軸とを駆動し独立的に回転させることを特徴とする請求項１に記載の水晶の防犯装置。
【請求項４】
前記連動装置は前記プッシュ溝と連通している開け溝を含み、前記開け溝の中にはプッシュロッドがスライドできるように設置され、前記プッシュロッドの上端面には前記プッシュロッドを復帰させる復帰部品が固定的に設置され、前記開け溝と前記スライドチャンバとの間にはスライドロッドが連通するように設置され、前記スライドロッドの中には連結溝がスライドできるように設置され、前記連結溝の下端と前記スライドロッドとの間には回転ばねが固定的に設置され、前記連結溝の中には前記プッシュロッドと当接している貫通溝が設置され、
前記連結溝が下がり前記引掛り溝と離脱し前記スライド板のロックを解除できることを特徴とする請求項１に記載の水晶の防犯装置。
【請求項５】
前記置き換え装置は前記凹チャンバと連通している歯溝を含み、前記歯溝の中には前記プッシュ板と固定的に連結されるラックがスライドできるように設置され、前記歯溝の上側には連結チャンバが連通するように設置され、前記連結チャンバの中には第三傘歯車が回転できるように設置され、前記第三傘歯車の上端には第四傘歯車が噛合し連結され、前記連結チャンバの上端壁にはモータが固定的に設置され、前記第四傘歯車の心棒と前記モータとが伝動できるように連結され、
前記モータが前記ラックを駆動し移動させることを特徴とする請求項１に記載の水晶の防犯装置。
【発明の詳細な説明】
【技術分野】
【０００１】
本発明はセキュリティ製品技術分野を取り上げて、具体的には水晶の防犯装置である。
【背景技術】
【０００２】
既存の水晶防犯装置は赤外線により検出し警報音を発することで機能を実現するが、赤外線が破れやすく、また水晶が盗まれた後に警報が鳴り、水晶の安全を保証できなく、そして、水晶が盗まれるとき、壊れやすく、水晶自身の価値が下がり、従って、既存技術の水晶防犯装置を更に改善する必要があり、それにより水晶の安全性を高める。
【先行技術文献】
【特許文献】
【０００３】
【特許文献１】中国特許出願公開第１０８９０３３８６号明細書
【発明の概要】
【発明が解決しようとする課題】
【０００４】
本発明の目的は水晶の防犯装置を提供し、それは上記の現在の技術中の問題を解決できる。
【課題を解決するための手段】
【０００５】
本発明の水晶の防犯装置は、壁を含み、前記壁の中にはプッシュチャンバが設置され、前記プッシュチャンバの中には磁性板がスライドできるように設置され、前記磁性板の上端面にはボックス本体が置かれ、前記ボックス本体の中にはボックスチャンバが設置され、前記ボックスチャンバの中には本物の水晶が置かれ、前記プッシュチャンバの左側にはスライドチャンバが連通するように設置され、前記スライドチャンバの中にはスライド板がスライドできるように設置され、前記スライド板の中には上下に対称しているロック溝が設置され、前記ロック溝の左側には引掛り溝が設置され、前記スライドチャンバの上側にはガイド溝が連通するように設置され、前記スライド板の上端が前記ガイド溝の中に挿入され、且つ前記スライド板の上端と前記ガイド溝の右端壁の間には押圧ばねが固定的に設置され、前記プッシュチャンバの右側には凹溝が連通するように設置され、前記凹溝の右側にはロック装置が設置され、前記ロック装置が前記ロック溝とロックできるように連結されることができ、前記ロック装置の前側には駆動装置が設置され、前記駆動装置と前記ロック装置とがスプラインにより連結され、前記壁の上端面には制御ブロックが固定的に設置され、前記プッシュチャンバの左側には開けチャンバが連通するように設置され、前記磁性板の下端面にはスリーブが固定的に設置され、前記プッシュチャンバの下側にはプッシュ溝が連通するように設置され、前記プッシュ溝の中には親ねじが回転できるように設置され、前記スリーブの下端が前記プッシュ溝の中に挿入され、且つ前記親ねじとネジ山により連結され、前記スリーブの左右端にはガイドブロックが固定的に設置され、前記プッシュ溝の下側には空き溝が連通するように設置され、前記親ねじの下端が前記空き溝の中に挿入され、且つ前記親ねじの下端には第一傘歯車が固定的に設置され、前記空き溝の中には固定軸により前記第一傘歯車と噛合している第二傘歯車が回転できるように設置され、前記固定軸と前記駆動装置とが伝動できるように連結され、前記プッシュ溝の左側には連動装置が設置され、前記連動装置が前記ガイドブロックと当接でき、前記プッシュチャンバの右側には凹チャンバが連通するように設置され、前記凹チャンバの中には左端が前記開けチャンバの中に挿入されるプッシュ板がスライドできるように設置され、前記プッシュ板の中には左右に対称的な且つ上下に貫通している貫通チャンバが設置され、右側の前記貫通チャンバの中には外部ボックスが置かれ、前記外部ボックスの中には偽物の水晶が置かれ、前記凹チャンバの右側には置き換え装置が設置され、前記置き換え装置と前記プッシュ板の右端とが固定的に連結され、
盗難が発生するとき、前記偽物の水晶と前記本物の水晶とが置き換えられる。
【０００６】
さらなる技術プラン、前記ロック装置は上下に対称しているスライド溝を含み、前記スライド溝の中にはロックブロックがスライドできるように設置され、前記ロックブロックと前記スライド溝との間には連結ばねが固定的に設置され、前記スライド溝の右側の間には回転チャンバが連通するように設置され、前記回転チャンバの中には回し板がスライドできるように設置され、前記回し板の中には回し溝が設置され、前記回し溝の中には上下に対称しているプッシュブロックがスライドできるように設置され、上下両側の前記プッシュブロックと上下両側の前記ロックブロックとがそれぞれ回転ロッドにより回転できるように連結され、また前記回転ロッドと前記回転チャンバの前後側の内壁とが回転できるように連結され、前記回転チャンバの右側には回転溝が連通するように設置され、前記回転溝の中には固定ロッドによりカムが回転できるように設置され、前記固定ロッドが前記駆動装置とスプラインにより連結されることができ、
前記回し板が左に移動し、前記ロックブロックを逆方向にスライドさせる。
【０００７】
さらなる技術プラン、前記駆動装置は移動チャンバを含み、前記移動チャンバの中には移動ブロックがスライドできるように設置され、前記移動ブロックの中には電動機が固定的に設置され、前記電動機の後端には回転軸が伝動できるように連結され、前記回転軸が前記固定ロッドとスプラインにより連結されることができ、前記電動機の前端には回転筒が伝動できるように連結され、前記移動チャンバの前側には前記回転筒とスプラインにより連結されることができる連結軸が回転できるように設置され、前記連結軸と前記固定軸とがベルトにより伝動できるように連結され、前記移動チャンバの左側には押し溝が連通するように設置され、前記押し溝の中には押しロッドがスライドできるように設置され、前記押しロッドの下端と前記押し溝との間にはねじりばねが固定的に設置され、前記押しロッドと前記移動ブロックとの間には連結ロッドにより回転できるように連結され、
前記押しロッドが移動し、それにより前記電動機が前記カムと前記連結軸とを駆動し独立的に回転させる。
【０００８】
さらなる技術プラン、前記連動装置は前記プッシュ溝と連通している開け溝を含み、前記開け溝の中にはプッシュロッドがスライドできるように設置され、前記プッシュロッドの上端面には前記プッシュロッドを復帰させる復帰部品が固定的に設置され、前記開け溝と前記スライドチャンバとの間にはスライドロッドが連通するように設置され、前記スライドロッドの中には連結溝がスライドできるように設置され、前記連結溝の下端と前記スライドロッドとの間には回転ばねが固定的に設置され、前記連結溝の中には前記プッシュロッドと当接している貫通溝が設置され、
前記連結溝が下がり前記引掛り溝と離脱し前記スライド板のロックを解除できる。
【０００９】
さらなる技術プラン、前記置き換え装置は前記凹チャンバと連通している歯溝を含み、前記歯溝の中には前記プッシュ板と固定的に連結されるラックがスライドできるように設置され、前記歯溝の上側には連結チャンバが連通するように設置され、前記連結チャンバの中には第三傘歯車が回転できるように設置され、前記第三傘歯車の上端には第四傘歯車が噛合し連結され、前記連結チャンバの上端壁にはモータが固定的に設置され、前記第四傘歯車の心棒と前記モータとが伝動できるように連結され、
前記モータが前記ラックを駆動し移動させる。
【発明の効果】
【００１０】
本発明の有益的な効果は：本発明は構造が簡単で、操作が便利であり、正確なパスワードを入力すると水晶を外部までプッシュでき、しかしパスワードを入力する過程では、制御ブロックが自動的に見えないように指紋を比較し、指紋が異なる場合、本物と偽物の水晶の交換し、指紋が正確である場合、水晶が通常通りに取り出され、本発明装置は安全性が高く、使用が便利である。
【図面の簡単な説明】
【００１１】
説明しやすいため、本発明は以下の具体的な実施例と付図を交え詳しく説明する。
【００１２】
【図１】図１は本発明の水晶の防犯装置の内部全体構造概略図
【図２】図２は本発明の図１のＡの拡大構造概略図
【図３】図３は本発明の図１のＢの拡大構造概略図
【図４】図４は本発明の図３のＣ−Ｃ方向の構造概略図
【図５】図５は本発明の図１のＤの拡大構造概略図
【発明を実施するための形態】
【００１３】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１４】
図１−５を参照し、本発明の水晶の防犯装置は、壁１０を含み、前記壁１０の中にはプッシュチャンバ１１が設置され、前記プッシュチャンバ１１の中には磁性板１３がスライドできるように設置され、前記磁性板１３の上端面にはボックス本体２１が置かれ、前記ボックス本体２１の中にはボックスチャンバ２２が設置され、前記ボックスチャンバ２２の中には本物の水晶２３が置かれ、前記プッシュチャンバ１１の左側にはスライドチャンバ４９が連通するように設置され、前記スライドチャンバ４９の中にはスライド板５０がスライドできるように設置され、前記スライド板５０の中には上下に対称しているロック溝５１が設置され、前記ロック溝５１の左側には引掛り溝５２が設置され、前記スライドチャンバ４９の上側にはガイド溝５３が連通するように設置され、前記スライド板５０の上端が前記ガイド溝５３の中に挿入され、且つ前記スライド板５０の上端と前記ガイド溝５３の右端壁の間には押圧ばね５４が固定的に設置され、前記プッシュチャンバ１１の右側には凹溝２５が連通するように設置され、前記凹溝２５の右側にはロック装置１００が設置され、前記ロック装置１００が前記ロック溝５１とロックできるように連結されることができ、前記ロック装置１００の前側には駆動装置２００が設置され、前記駆動装置２００と前記ロック装置１００とがスプラインにより連結され、前記壁１０の上端面には制御ブロック４８が固定的に設置され、前記プッシュチャンバ１１の左側には開けチャンバ２４が連通するように設置され、前記磁性板１３の下端面にはスリーブ１２が固定的に設置され、前記プッシュチャンバ１１の下側にはプッシュ溝１４が連通するように設置され、前記プッシュ溝１４の中には親ねじ１６が回転できるように設置され、前記スリーブ１２の下端が前記プッシュ溝１４の中に挿入され、且つ前記親ねじ１６とネジ山により連結され、前記スリーブ１２の左右端にはガイドブロック１５が固定的に設置され、前記プッシュ溝１４の下側には空き溝１７が連通するように設置され、前記親ねじ１６の下端が前記空き溝１４の中に挿入され、且つ前記親ねじ１６の下端には第一傘歯車１８が固定的に設置され、前記空き溝１７の中には固定軸２０により前記第一傘歯車１８と噛合している第二傘歯車１９が回転できるように設置され、前記固定軸２０と前記駆動装置２００とが伝動できるように連結され、前記プッシュ溝１４の左側には連動装置３００が設置され、前記連動装置３００が前記ガイドブロック１５と当接でき、前記プッシュチャンバ１１の右側には凹チャンバ４０が連通するように設置され、前記凹チャンバ４０の中には左端が前記開けチャンバ２４の中に挿入されるプッシュ板３９がスライドできるように設置され、前記プッシュ板３９の中には左右に対称的な且つ上下に貫通している貫通チャンバ３６が設置され、右側の前記貫通チャンバ３６の中には外部ボックス３７が置かれ、前記外部ボックス３７の中には偽物の水晶３８が置かれ、前記凹チャンバ４０の右側には置き換え装置４００が設置され、前記置き換え装置４００と前記プッシュ板３９の右端とが固定的に連結され、
盗難が発生するとき、前記偽物の水晶３８と前記本物の水晶２３とが置き換えられる。
【００１５】
有益的には、前記ロック装置１００は上下に対称しているスライド溝２６を含み、前記スライド溝２６の中にはロックブロック２７がスライドできるように設置され、前記ロックブロック２７と前記スライド溝２６との間には連結ばね７３が固定的に設置され、前記スライド溝２６の右側の間には回転チャンバ２９が連通するように設置され、前記回転チャンバ２９の中には回し板３０がスライドできるように設置され、前記回し板３０の中には回し溝３１が設置され、前記回し溝３１の中には上下に対称しているプッシュブロック３２がスライドできるように設置され、上下両側の前記プッシュブロック３２と上下両側の前記ロックブロック２７とがそれぞれ回転ロッド２８により回転できるように連結され、また前記回転ロッド２８と前記回転チャンバ２９の前後側の内壁とが回転できるように連結され、前記回転チャンバ２９の右側には回転溝３３が連通するように設置され、前記回転溝３３の中には固定ロッド３５によりカム３４が回転できるように設置され、前記固定ロッド３５が前記駆動装置２００とスプラインにより連結されることができ、
前記回し板３０が左に移動し、前記ロックブロック２７を逆方向にスライドさせる。
【００１６】
有益的には、前記駆動装置２００は移動チャンバ５５を含み、前記移動チャンバ５５の中には移動ブロック５６がスライドできるように設置され、前記移動ブロック５６の中には電動機５７が固定的に設置され、前記電動機５７の後端には回転軸５８が伝動できるように連結され、前記回転軸５８が前記固定ロッド３５とスプラインにより連結されることができ、前記電動機５７の前端には回転筒５９が伝動できるように連結され、前記移動チャンバ５５の前側には前記回転筒５９とスプラインにより連結されることができる連結軸６０が回転できるように設置され、前記連結軸６０と前記固定軸２０とがベルト６１により伝動できるように連結され、前記移動チャンバ５５の左側には押し溝６２が連通するように設置され、前記押し溝６２の中には押しロッド６３がスライドできるように設置され、前記押しロッド６３の下端と前記押し溝６２との間にはねじりばね６５が固定的に設置され、前記押しロッド６３と前記移動ブロック５６との間には連結ロッド６４により回転できるように連結され、
前記押しロッド６３が移動し、それにより前記電動機５７が前記カム３４と前記連結軸６０とを駆動し独立的に回転させる。
【００１７】
有益的には、前記連動装置３００は前記プッシュ溝１４と連通している開け溝７０を含み、前記開け溝７０の中にはプッシュロッド７１がスライドできるように設置され、前記プッシュロッド７１の上端面には前記プッシュロッド７１を復帰させる復帰部品７２が固定的に設置され、前記開け溝７０と前記スライドチャンバ４９との間にはスライドロッド６７が連通するように設置され、前記スライドロッド６７の中には連結溝６６がスライドできるように設置され、前記連結溝６６の下端と前記スライドロッド６７との間には回転ばね６８が固定的に設置され、前記連結溝６６の中には前記プッシュロッド７１と当接している貫通溝６９が設置され、
前記連結溝６６が下がり前記引掛り溝５２と離脱し前記スライド板５０のロックを解除できる。
【００１８】
有益的には、前記置き換え装置４００は前記凹チャンバ４０と連通している歯溝４１を含み、前記歯溝４１の中には前記プッシュ板３９と固定的に連結されるラック４２がスライドできるように設置され、前記歯溝４１の上側には連結チャンバ４３が連通するように設置され、前記連結チャンバ４３の中には第三傘歯車４４が回転できるように設置され、前記第三傘歯車４４の上端には第四傘歯車４５が噛合し連結され、前記連結チャンバ４３の上端壁にはモータ４７が固定的に設置され、前記第四傘歯車４５の心棒４６と前記モータ４７とが伝動できるように連結され、
前記モータ４７が前記ラック４２を駆動し移動させる。
【００１９】
初期状態には、押圧ばね５４が引っ張り状態にあり、回転筒５９が連結軸６０と連結されている。
【００２０】
作動するとき、本物の水晶２３を盗む人がいるとき、電動機５７が作動し、連結軸６０を駆動し回転させ、それにより親ねじ１６が回転し、スリーブ１２が磁性板１３を降下連動させ、ボックス本体２１を完全にプッシュチャンバ１１の中に収め、このとき、ガイドブロック１５がプッシュロッド７１をプッシュし左に移動させ、連結溝６６を下がらせ引掛り溝５２と離脱させ、それによりスライド板５０が押圧ばね５４の作用により右に移動し、またロック溝５１とロックブロック２７とがロックできるように連結され、それによりスライド板５０が押しロッド６３を押し前に移動させ、移動ブロック５６を後ろに移動させ、それにより回転軸５８が固定ロッド３５とが連結され、そして制御ブロック４８でパスワードを入力し、それにより電動機５７が作動しカム３４を駆動し回転させ、回し板３０をプッシュし左に移動させ、ロックブロック２７を逆方向に移動させロック溝５１と離脱させ、パスワードを入力する過程で、制御ブロック４８が自動的に指紋を比較し、指紋が一致しないとき、モータ４７が作動し、それによりラック４２がプッシュ板３９をプッシュし左に移動させ、ボックス本体２１を開けチャンバ２４の中までプッシュして外部ボックス３７をプッシュチャンバ１１の中までプッシュし、外部ボックス３７と磁性板１３とが磁性的に吸着され、そして、手動で左にスライド板５０を回しプッシュチャンバ１１を開け、それにより押しロッド６３がねじりばね６５の作用により後ろに移動し、移動ブロック５６を前に移動させ初期位置に復帰させ、回転筒５９が連結軸６０と連結され、電動機５７が親ねじ１６を駆動し回転させ、磁性板１３を上昇させ外部ボックス３７を外部までプッシュさせ、内部にある偽物の水晶３８が盗まれる。
【００２１】
本発明の有益的な効果は：本発明は構造が簡単で、操作が便利であり、正確なパスワードを入力すると水晶を外部までプッシュでき、しかしパスワードを入力する過程では、制御ブロックが自動的に見えないように指紋を比較し、指紋が異なる場合、本物と偽物の水晶の交換し、指紋が正確である場合、水晶が通常通りに取り出され、本発明装置は安全性が高く、使用が便利である。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020171647.tif 000003
【図２】
2020171647.tif 000004
【図３】
2020171647.tif 000005
【図４】
2020171647.tif 000006
【図５】
2020171647.tif 000007
【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
壁を含み、前記壁の中にはプッシュチャンバが設置され、前記プッシュチャンバの中には磁性板がスライドできるように設置され、前記磁性板の上端面にはボックス本体が置かれ、前記ボックス本体の中にはボックスチャンバが設置され、前記ボックスチャンバの中には本物の水晶が置かれ、前記プッシュチャンバの左側にはスライドチャンバが連通するように設置され、前記スライドチャンバの中にはスライド板がスライドできるように設置され、前記スライド板の中には上下に対称しているロック溝が設置され、前記ロック溝の左側には引掛り溝が設置され、前記スライドチャンバの上側にはガイド溝が連通するように設置され、前記スライド板の上端が前記ガイド溝の中に挿入され、且つ前記スライド板の上端と前記ガイド溝の右端壁の間には押圧ばねが固定的に設置され、前記プッシュチャンバの右側には凹溝が連通するように設置され、前記凹溝の右側にはロック装置が設置され、前記ロック装置が前記ロック溝とロックできるように連結されることができ、前記ロック装置の前側には駆動装置が設置され、前記駆動装置と前記ロック装置とがスプラインにより連結され、前記壁の上端面には制御ブロックが固定的に設置され、前記プッシュチャンバの左側には開けチャンバが連通するように設置され、前記磁性板の下端面にはスリーブが固定的に設置され、前記プッシュチャンバの下側にはプッシュ溝が連通するように設置され、前記プッシュ溝の中には親ねじが回転できるように設置され、前記スリーブの下端が前記プッシュ溝の中に挿入され、且つ前記親ねじとネジ山により連結され、前記スリーブの左右端にはガイドブロックが固定的に設置され、前記プッシュ溝の下側には空き溝が連通するように設置され、前記親ねじの下端が前記空き溝の中に挿入され、且つ前記親ねじの下端には第一傘歯車が固定的に設置され、前記空き溝の中には固定軸により前記第一傘歯車と噛合している第二傘歯車が回転できるように設置され、前記固定軸と前記駆動装置とが伝動できるように連結され、前記プッシュ溝の左側には連動装置が設置され、前記連動装置が前記ガイドブロックと当接でき、前記プッシュチャンバの右側には凹チャンバが連通するように設置され、前記凹チャンバの中には左端が前記開けチャンバの中に挿入されるプッシュ板がスライドできるように設置され、前記プッシュ板の中には左右に対称的な且つ上下に貫通している貫通チャンバが設置され、右側の前記貫通チャンバの中には外部ボックスが置かれ、前記外部ボックスの中には偽物の水晶が置かれ、前記凹チャンバの右側には置き換え装置が設置され、前記置き換え装置と前記プッシュ板の右端とが固定的に連結され、
制御ブロックにパスワードを入力する過程で、制御ブロックが自動的に指紋を比較した結果、正規の利用者の指紋と一致しないとき、プッシュ板をプッシュして、ボックスチャンバ内に本物の水晶が置かれたボックス本体を、プッシュチャンバから開けチャンバの中までプッシュすると共に、その内部に偽物の水晶が置かれた外部ボックスをプッシュチャンバの中までプッシュすることを特徴とする水晶の防犯装置。
【請求項２】
前記ロック装置は上下に対称しているスライド溝を含み、前記スライド溝の中にはロックブロックがスライドできるように設置され、前記ロックブロックと前記スライド溝との間には連結ばねが固定的に設置され、前記スライド溝の右側の間には回転チャンバが連通するように設置され、前記回転チャンバの中には回し板がスライドできるように設置され、前記回し板の中には回し溝が設置され、前記回し溝の中には上下に対称しているプッシュブロックがスライドできるように設置され、上下両側の前記プッシュブロックと上下両側の前記ロックブロックとがそれぞれ回転ロッドにより回転できるように連結され、また前記回転ロッドと前記回転チャンバの前後側の内壁とが回転できるように連結され、前記回転チャンバの右側には回転溝が連通するように設置され、前記回転溝の中には固定ロッドによりカムが回転できるように設置され、前記固定ロッドが前記駆動装置とスプラインにより連結されることができ、
前記回し板が左に移動し、前記ロックブロックを逆方向にスライドさせることを特徴とする請求項１に記載の水晶の防犯装置。
【請求項３】
前記駆動装置は移動チャンバを含み、前記移動チャンバの中には移動ブロックがスライドできるように設置され、前記移動ブロックの中には電動機が固定的に設置され、前記電動機の後端には回転軸が伝動できるように連結され、前記回転軸が前記固定ロッドとスプラインにより連結されることができ、前記電動機の前端には回転筒が伝動できるように連結され、前記移動チャンバの前側には前記回転筒とスプラインにより連結されることができる連結軸が回転できるように設置され、前記連結軸と前記固定軸とがベルトにより伝動できるように連結され、前記移動チャンバの左側には押し溝が連通するように設置され、前記押し溝の中には押しロッドがスライドできるように設置され、前記押しロッドの下端と前記押し溝との間にはねじりばねが固定的に設置され、前記押しロッドと前記移動ブロックとの間には連結ロッドにより回転できるように連結され、
前記押しロッドが移動し、それにより前記電動機が前記カムと前記連結軸とを駆動し独立的に回転させることを特徴とする請求項２に記載の水晶の防犯装置。
【請求項４】
前記連動装置は前記プッシュ溝と連通している開け溝を含み、前記開け溝の中にはプッシュロッドがスライドできるように設置され、前記プッシュロッドの上端面には前記プッシュロッドを復帰させる復帰部品が固定的に設置され、前記開け溝と前記スライドチャンバとの間には連結溝が連通するように設置され、前記連結溝の中にはスライドロッドがスライドできるように設置され、前記スライドロッドの下端と前記連結溝との間には回転ばねが固定的に設置され、前記スライドロッドの中には前記プッシュロッドと当接している貫通溝が設置され、
前記スライドロッドが下がり前記引掛り溝と離脱し前記スライド板のロックを解除できることを特徴とする請求項１に記載の水晶の防犯装置。
【請求項５】
前記置き換え装置は前記凹チャンバと連通している歯溝を含み、前記歯溝の中には前記プッシュ板と固定的に連結されるラックがスライドできるように設置され、前記歯溝の上側には連結チャンバが連通するように設置され、前記連結チャンバの中には第三傘歯車が回転できるように設置され、前記第三傘歯車の上端には第四傘歯車が噛合し連結され、前記連結チャンバの上端壁にはモータが固定的に設置され、前記第四傘歯車の心棒と前記モータとが伝動できるように連結され、
前記モータが前記ラックを駆動し移動させることを特徴とする請求項１に記載の水晶の防犯装置。
【手続補正２】
【補正対象書類名】明細書
【補正対象項目名】全文
【補正方法】変更
【補正の内容】
【発明の詳細な説明】
【技術分野】
【０００１】
本発明はセキュリティ製品技術分野を取り上げて、具体的には水晶の防犯装置である。
【背景技術】
【０００２】
既存の水晶防犯装置は赤外線により検出し警報音を発することで機能を実現するが、赤外線が破れやすく、また水晶が盗まれた後に警報が鳴り、水晶の安全を保証できなく、そして、水晶が盗まれるとき、壊れやすく、水晶自身の価値が下がり、従って、既存技術の水晶防犯装置を更に改善する必要があり、それにより水晶の安全性を高める。
【先行技術文献】
【特許文献】
【０００３】
【特許文献１】中国特許出願公開第１０８９０３３８６号明細書
【発明の概要】
【発明が解決しようとする課題】
【０００４】
本発明の目的は水晶の防犯装置を提供し、それは上記の現在の技術中の問題を解決できる。
【課題を解決するための手段】
【０００５】
本発明の水晶の防犯装置は、壁を含み、前記壁の中にはプッシュチャンバが設置され、前記プッシュチャンバの中には磁性板がスライドできるように設置され、前記磁性板の上端面にはボックス本体が置かれ、前記ボックス本体の中にはボックスチャンバが設置され、前記ボックスチャンバの中には本物の水晶が置かれ、前記プッシュチャンバの左側にはスライドチャンバが連通するように設置され、前記スライドチャンバの中にはスライド板がスライドできるように設置され、前記スライド板の中には上下に対称しているロック溝が設置され、前記ロック溝の左側には引掛り溝が設置され、前記スライドチャンバの上側にはガイド溝が連通するように設置され、前記スライド板の上端が前記ガイド溝の中に挿入され、且つ前記スライド板の上端と前記ガイド溝の右端壁の間には押圧ばねが固定的に設置され、前記プッシュチャンバの右側には凹溝が連通するように設置され、前記凹溝の右側にはロック装置が設置され、前記ロック装置が前記ロック溝とロックできるように連結されることができ、前記ロック装置の前側には駆動装置が設置され、前記駆動装置と前記ロック装置とがスプラインにより連結され、前記壁の上端面には制御ブロックが固定的に設置され、前記プッシュチャンバの左側には開けチャンバが連通するように設置され、前記磁性板の下端面にはスリーブが固定的に設置され、前記プッシュチャンバの下側にはプッシュ溝が連通するように設置され、前記プッシュ溝の中には親ねじが回転できるように設置され、前記スリーブの下端が前記プッシュ溝の中に挿入され、且つ前記親ねじとネジ山により連結され、前記スリーブの左右端にはガイドブロックが固定的に設置され、前記プッシュ溝の下側には空き溝が連通するように設置され、前記親ねじの下端が前記空き溝の中に挿入され、且つ前記親ねじの下端には第一傘歯車が固定的に設置され、前記空き溝の中には固定軸により前記第一傘歯車と噛合している第二傘歯車が回転できるように設置され、前記固定軸と前記駆動装置とが伝動できるように連結され、前記プッシュ溝の左側には連動装置が設置され、前記連動装置が前記ガイドブロックと当接でき、前記プッシュチャンバの右側には凹チャンバが連通するように設置され、前記凹チャンバの中には左端が前記開けチャンバの中に挿入されるプッシュ板がスライドできるように設置され、前記プッシュ板の中には左右に対称的な且つ上下に貫通している貫通チャンバが設置され、右側の前記貫通チャンバの中には外部ボックスが置かれ、前記外部ボックスの中には偽物の水晶が置かれ、前記凹チャンバの右側には置き換え装置が設置され、前記置き換え装置と前記プッシュ板の右端とが固定的に連結され、
制御ブロックにパスワードを入力する過程で、制御ブロックが自動的に指紋を比較した結果、正規の利用者の指紋と一致しないとき、プッシュ板をプッシュして、ボックスチャンバ内に本物の水晶が置かれたボックス本体を、プッシュチャンバから開けチャンバの中までプッシュすると共に、その内部に偽物の水晶が置かれた外部ボックスをプッシュチャンバの中までプッシュする。
【０００６】
さらなる技術プラン、前記ロック装置は上下に対称しているスライド溝を含み、前記スライド溝の中にはロックブロックがスライドできるように設置され、前記ロックブロックと前記スライド溝との間には連結ばねが固定的に設置され、前記スライド溝の右側の間には回転チャンバが連通するように設置され、前記回転チャンバの中には回し板がスライドできるように設置され、前記回し板の中には回し溝が設置され、前記回し溝の中には上下に対称しているプッシュブロックがスライドできるように設置され、上下両側の前記プッシュブロックと上下両側の前記ロックブロックとがそれぞれ回転ロッドにより回転できるように連結され、また前記回転ロッドと前記回転チャンバの前後側の内壁とが回転できるように連結され、前記回転チャンバの右側には回転溝が連通するように設置され、前記回転溝の中には固定ロッドによりカムが回転できるように設置され、前記固定ロッドが前記駆動装置とスプラインにより連結されることができ、
前記回し板が左に移動し、前記ロックブロックを逆方向にスライドさせる。
【０００７】
さらなる技術プラン、前記駆動装置は移動チャンバを含み、前記移動チャンバの中には移動ブロックがスライドできるように設置され、前記移動ブロックの中には電動機が固定的に設置され、前記電動機の後端には回転軸が伝動できるように連結され、前記回転軸が前記固定ロッドとスプラインにより連結されることができ、前記電動機の前端には回転筒が伝動できるように連結され、前記移動チャンバの前側には前記回転筒とスプラインにより連結されることができる連結軸が回転できるように設置され、前記連結軸と前記固定軸とがベルトにより伝動できるように連結され、前記移動チャンバの左側には押し溝が連通するように設置され、前記押し溝の中には押しロッドがスライドできるように設置され、前記押しロッドの下端と前記押し溝との間にはねじりばねが固定的に設置され、前記押しロッドと前記移動ブロックとの間には連結ロッドにより回転できるように連結され、
前記押しロッドが移動し、それにより前記電動機が前記カムと前記連結軸とを駆動し独立的に回転させる。
【０００８】
さらなる技術プラン、前記連動装置は前記プッシュ溝と連通している開け溝を含み、前記開け溝の中にはプッシュロッドがスライドできるように設置され、前記プッシュロッドの上端面には前記プッシュロッドを復帰させる復帰部品が固定的に設置され、前記開け溝と前記スライドチャンバとの間には連結溝が連通するように設置され、前記連結溝連結溝の中にはスライドロッドがスライドできるように設置され、前記スライドロッドの下端と前記連結溝との間には回転ばねが固定的に設置され、前記スライドロッドの中には前記プッシュロッドと当接している貫通溝が設置され、
前記スライドロッドが下がり前記引掛り溝と離脱し前記スライド板のロックを解除できる。
【０００９】
さらなる技術プラン、前記置き換え装置は前記凹チャンバと連通している歯溝を含み、前記歯溝の中には前記プッシュ板と固定的に連結されるラックがスライドできるように設置され、前記歯溝の上側には連結チャンバが連通するように設置され、前記連結チャンバの中には第三傘歯車が回転できるように設置され、前記第三傘歯車の上端には第四傘歯車が噛合し連結され、前記連結チャンバの上端壁にはモータが固定的に設置され、前記第四傘歯車の心棒と前記モータとが伝動できるように連結され、
前記モータが前記ラックを駆動し移動させる。
【発明の効果】
【００１０】
本発明の有益的な効果は：本発明は構造が簡単で、操作が便利であり、正確なパスワードを入力すると水晶を外部までプッシュでき、しかしパスワードを入力する過程では、制御ブロックが自動的に見えないように指紋を比較し、指紋が異なる場合、本物と偽物の水晶の交換し、指紋が正確である場合、水晶が通常通りに取り出され、本発明装置は安全性が高く、使用が便利である。
【図面の簡単な説明】
【００１１】
説明しやすいため、本発明は以下の具体的な実施例と付図を交え詳しく説明する。
【００１２】
【図１】図１は本発明の水晶の防犯装置の内部全体構造概略図
【図２】図２は本発明の図１のＡの拡大構造概略図
【図３】図３は本発明の図１のＢの拡大構造概略図
【図４】図４は本発明の図３のＣ−Ｃ方向の構造概略図
【図５】図５は本発明の図１のＤの拡大構造概略図
【発明を実施するための形態】
【００１３】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１４】
図１−５を参照し、本発明の水晶の防犯装置は、壁１０を含み、前記壁１０の中にはプッシュチャンバ１１が設置され、前記プッシュチャンバ１１の中には磁性板１３がスライドできるように設置され、前記磁性板１３の上端面にはボックス本体２１が置かれ、前記ボックス本体２１の中にはボックスチャンバ２２が設置され、前記ボックスチャンバ２２の中には本物の水晶２３が置かれ、前記プッシュチャンバ１１の左側にはスライドチャンバ４９が連通するように設置され、前記スライドチャンバ４９の中にはスライド板５０がスライドできるように設置され、前記スライド板５０の中には上下に対称しているロック溝５１が設置され、前記ロック溝５１の左側には引掛り溝５２が設置され、前記スライドチャンバ４９の上側にはガイド溝５３が連通するように設置され、前記スライド板５０の上端が前記ガイド溝５３の中に挿入され、且つ前記スライド板５０の上端と前記ガイド溝５３の右端壁の間には押圧ばね５４が固定的に設置され、前記プッシュチャンバ１１の右側には凹溝２５が連通するように設置され、前記凹溝２５の右側にはロック装置１００が設置され、前記ロック装置１００が前記ロック溝５１とロックできるように連結されることができ、前記ロック装置１００の前側には駆動装置２００が設置され、前記駆動装置２００と前記ロック装置１００とがスプラインにより連結され、前記壁１０の上端面には制御ブロック４８が固定的に設置され、前記プッシュチャンバ１１の左側には開けチャンバ２４が連通するように設置され、前記磁性板１３の下端面にはスリーブ１２が固定的に設置され、前記プッシュチャンバ１１の下側にはプッシュ溝１４が連通するように設置され、前記プッシュ溝１４の中には親ねじ１６が回転できるように設置され、前記スリーブ１２の下端が前記プッシュ溝１４の中に挿入され、且つ前記親ねじ１６とネジ山により連結され、前記スリーブ１２の左右端にはガイドブロック１５が固定的に設置され、前記プッシュ溝１４の下側には空き溝１７が連通するように設置され、前記親ねじ１６の下端が前記空き溝１４の中に挿入され、且つ前記親ねじ１６の下端には第一傘歯車１８が固定的に設置され、前記空き溝１７の中には固定軸２０により前記第一傘歯車１８と噛合している第二傘歯車１９が回転できるように設置され、前記固定軸２０と前記駆動装置２００とが伝動できるように連結され、前記プッシュ溝１４の左側には連動装置３００が設置され、前記連動装置３００が前記ガイドブロック１５と当接でき、前記プッシュチャンバ１１の右側には凹チャンバ４０が連通するように設置され、前記凹チャンバ４０の中には左端が前記開けチャンバ２４の中に挿入されるプッシュ板３９がスライドできるように設置され、前記プッシュ板３９の中には左右に対称的な且つ上下に貫通している貫通チャンバ３６が設置され、右側の前記貫通チャンバ３６の中には外部ボックス３７が置かれ、前記外部ボックス３７の中には偽物の水晶３８が置かれ、前記凹チャンバ４０の右側には置き換え装置４００が設置され、前記置き換え装置４００と前記プッシュ板３９の右端とが固定的に連結され、
制御ブロック４８にパスワードを入力する過程で、制御ブロック４８が自動的に指紋を比較した結果、正規の利用者の指紋と一致しないとき、プッシュ板３９をプッシュして、ボックスチャンバ２２内に本物の水晶が置かれたボックス本体２１を、プッシュチャンバ１１から開けチャンバの中までプッシュすると共に、その内部に偽物の水晶３８が置かれた外部ボックス３７をプッシュチャンバ１１の中までプッシュする。
【００１５】
有益的には、前記ロック装置１００は上下に対称しているスライド溝２６を含み、前記スライド溝２６の中にはロックブロック２７がスライドできるように設置され、前記ロックブロック２７と前記スライド溝２６との間には連結ばね７３が固定的に設置され、前記スライド溝２６の右側の間には回転チャンバ２９が連通するように設置され、前記回転チャンバ２９の中には回し板３０がスライドできるように設置され、前記回し板３０の中には回し溝３１が設置され、前記回し溝３１の中には上下に対称しているプッシュブロック３２がスライドできるように設置され、上下両側の前記プッシュブロック３２と上下両側の前記ロックブロック２７とがそれぞれ回転ロッド２８により回転できるように連結され、また前記回転ロッド２８と前記回転チャンバ２９の前後側の内壁とが回転できるように連結され、前記回転チャンバ２９の右側には回転溝３３が連通するように設置され、前記回転溝３３の中には固定ロッド３５によりカム３４が回転できるように設置され、前記固定ロッド３５が前記駆動装置２００とスプラインにより連結されることができ、
前記回し板３０が左に移動し、前記ロックブロック２７を逆方向にスライドさせる。
【００１６】
有益的には、前記駆動装置２００は移動チャンバ５５を含み、前記移動チャンバ５５の中には移動ブロック５６がスライドできるように設置され、前記移動ブロック５６の中には電動機５７が固定的に設置され、前記電動機５７の後端には回転軸５８が伝動できるように連結され、前記回転軸５８が前記固定ロッド３５とスプラインにより連結されることができ、前記電動機５７の前端には回転筒５９が伝動できるように連結され、前記移動チャンバ５５の前側には前記回転筒５９とスプラインにより連結されることができる連結軸６０が回転できるように設置され、前記連結軸６０と前記固定軸２０とがベルト６１により伝動できるように連結され、前記移動チャンバ５５の左側には押し溝６２が連通するように設置され、前記押し溝６２の中には押しロッド６３がスライドできるように設置され、前記押しロッド６３の下端と前記押し溝６２との間にはねじりばね６５が固定的に設置され、前記押しロッド６３と前記移動ブロック５６との間には連結ロッド６４により回転できるように連結され、
前記押しロッド６３が移動し、それにより前記電動機５７が前記カム３４と前記連結軸６０とを駆動し独立的に回転させる。
【００１７】
有益的には、前記連動装置３００は前記プッシュ溝１４と連通している開け溝７０を含み、前記開け溝７０の中にはプッシュロッド７１がスライドできるように設置され、前記プッシュロッド７１の上端面には前記プッシュロッド７１を復帰させる復帰部品７２が固定的に設置され、前記開け溝７０と前記スライドチャンバ４９との間には連結溝６７が連通するように設置され、前記連結溝６７の中にはスライドロッド６６がスライドできるように設置され、前記スライドロッド６６の下端と前記連結溝６７との間には回転ばね６８が固定的に設置され、前記スライドロッド６６の中には前記プッシュロッド７１と当接している貫通溝６９が設置され、
前記スライドロッド６６が下がり前記引掛り溝５２と離脱し前記スライド板５０のロックを解除できる。
【００１８】
有益的には、前記置き換え装置４００は前記凹チャンバ４０と連通している歯溝４１を含み、前記歯溝４１の中には前記プッシュ板３９と固定的に連結されるラック４２がスライドできるように設置され、前記歯溝４１の上側には連結チャンバ４３が連通するように設置され、前記連結チャンバ４３の中には第三傘歯車４４が回転できるように設置され、前記第三傘歯車４４の上端には第四傘歯車４５が噛合し連結され、前記連結チャンバ４３の上端壁にはモータ４７が固定的に設置され、前記第四傘歯車４５の心棒４６と前記モータ４７とが伝動できるように連結され、
前記モータ４７が前記ラック４２を駆動し移動させる。
【００１９】
初期状態には、押圧ばね５４が引っ張り状態にあり、回転筒５９が連結軸６０と連結されている。
【００２０】
作動するとき、本物の水晶２３を盗む人がいるとき、電動機５７が作動し、連結軸６０を駆動し回転させ、それにより親ねじ１６が回転し、スリーブ１２が磁性板１３を降下連動させ、ボックス本体２１を完全にプッシュチャンバ１１の中に収め、このとき、ガイドブロック１５がプッシュロッド７１をプッシュし左に移動させ、スライドロッド６６を下がらせ引掛り溝５２と離脱させ、それによりスライド板５０が押圧ばね５４の作用により右に移動し、またロック溝５１とロックブロック２７とがロックできるように連結され、それによりスライド板５０が押しロッド６３を押し前に移動させ、移動ブロック５６を後ろに移動させ、それにより回転軸５８が固定ロッド３５とが連結され、そして制御ブロック４８でパスワードを入力し、それにより電動機５７が作動しカム３４を駆動し回転させ、回し板３０をプッシュし左に移動させ、ロックブロック２７を逆方向に移動させロック溝５１と離脱させ、パスワードを入力する過程で、制御ブロック４８が自動的に指紋を比較し、指紋が一致しないとき、モータ４７が作動し、それによりラック４２がプッシュ板３９をプッシュし左に移動させ、ボックス本体２１を開けチャンバ２４の中までプッシュして外部ボックス３７をプッシュチャンバ１１の中までプッシュし、外部ボックス３７と磁性板１３とが磁性的に吸着され、そして、手動で左にスライド板５０を回しプッシュチャンバ１１を開け、それにより押しロッド６３がねじりばね６５の作用により後ろに移動し、移動ブロック５６を前に移動させ初期位置に復帰させ、回転筒５９が連結軸６０と連結され、電動機５７が親ねじ１６を駆動し回転させ、磁性板１３を上昇させ外部ボックス３７を外部までプッシュさせ、内部にある偽物の水晶３８が盗まれる。
【００２１】
本発明の有益的な効果は：本発明は構造が簡単で、操作が便利であり、正確なパスワードを入力すると水晶を外部までプッシュでき、しかしパスワードを入力する過程では、制御ブロックが自動的に見えないように指紋を比較し、指紋が異なる場合、本物と偽物の水晶の交換し、指紋が正確である場合、水晶が通常通りに取り出され、本発明装置は安全性が高く、使用が便利である。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。